(57)【要約】      （修正有）【課題】亜鉛めっきを施す炭素鋼材を用いてボルト締め方法により組み立てる受け台を有する受け台付きステンレス鋼製水槽における水槽と受け台の連結を可能するために、確実且つ安価な構造を提供する。【解決手段】前記の受け台２において、主部材２ａ副部材２ｂの連結用ボルトを利用しステンレス鋼製ピースを設置し、ステンレス鋼製の水槽底板とステンレス製ピースは同材質で溶接が可能となる。これにっよって、亜鉛めっきを施す炭素鋼材を用いて組み立てる受け台とステンレス水槽の連結が可能となって、受け台付き水槽の受け台のコスト削減を実現する。【選択図】図６
0003149214.tif 000002
【実用新案登録請求の範囲】
【請求項１】
亜鉛めっきを施す炭素鋼材を用いてボルト締め方法により組み立てる受け台を有する受け台付きステンレス鋼製水槽の水槽底板に連結手段を介在して受け台を連結する方法において、前記の受け台に受け台部材どうし連結用のボルトを利用して追加設置される連結用ステンレス鋼製ピースと前記の水槽底板との溶接接合により、受け台と水槽を連結することを特徴とする受け台と水槽の連結構造。
【考案の詳細な説明】
【技術分野】
【０００１】
本考案は、亜鉛めっきを施す炭素鋼材を用いてボルト締め方法により組み立てる受け台を有する受け台付きステンレス鋼製水槽における受け台と水槽の連結構造に係り、水槽底板の浮き上がりを防止するとともに、受け台のコスト低減を図れる連結構造に関するものである。
【背景技術】
【０００２】
図１に示すように、受け台付きステンレス鋼製水槽は、水槽１と水槽底板と同形状の水平平面を持つ受け台２からなり、通常ゲタ基礎３の上部に設置することが多い。受け台２は、水槽１の設置時、ゲタ基礎３の水平度を調整するとともに、水圧荷重に起因する水槽底板の撓みを抑える役割を果す。
【０００３】
図２に示すように、底板１ａは、底板に使用する材料定尺の関係で、複数の所定幅の平板材を複数の溶接線１ｂによって連結する。また、底板１ａは、ステンレス鋼製で、材料単価が高いから、通常コストのことを考慮し薄板を使うことが多い。
【０００４】
底板１ａは、厚みが薄いので、溶接時の膨張または収縮によって歪みが生じ、平面状の受け台にぴったりフッディグできず、浮き上がることが多い。よって、ステンレス鋼製底板１ａと受け台２の連結固定によって、底板の浮き上がりを防止する必要となる。
【０００５】
しかし、亜鉛メッキを施す炭素鋼材は、溶接加工ができない。
【０００６】
したがって、図３、図４に示すように、従来の受け台付きステンレス鋼製水槽においては、受け台２とステンレス鋼製底板１ａの溶接連結を可能するため、全部材につき、亜鉛メッキを施す炭素鋼材にすることなく、小梁材２ｂ材の１部分をステンレス鋼製部材２ｂ’にする。
【０００７】
これによって、図５に示すように、ステンレス鋼製小梁材２ｂ’とステンレス鋼製の底板１ａを複数の隅肉溶接線２ｃにより連結して底板１ａの浮き上がりを防止するわけである。
【０００８】
亜鉛メッキを施す炭素鋼材は、ステンレス鋼製部材に比べて単価が約１/４以下である。
【０００９】
図３に示すように、小梁材２ｂ’は、水圧荷重を受けて、寸法が大きい構造部材が必要となり、これをステンレス鋼製にすることで、受け台２のコストがかなり高くなるデメリットがある。
【考案の開示】
【考案が解決しようとする課題】
【００１０】
配水池は、重要な水道施設で、衛生性、耐震性が求められているためにステンレス鋼製の需要が高まっている。同時に、構造改革による公共事業の投資減少に伴い配水池のコスト削減も求められている。
【００１１】
従って、配水池として使用される受け台付きステンレス鋼製水槽については、コスト削減が重要な課題となっている。
【００１２】
コスト削減には様々な方法が考えられるが、受け台に限定すれば、全構造部材に亜鉛めっきを施す炭素鋼材を使用することが出来れば、コスト削減をかなり図れる。
【課題を解決するための手段】
【００１３】
上記問題を解決するため、請求項１に記載の考案は、図６、図７、図８に示すように、亜鉛めっきを施す炭素鋼材２a、２ｂを用いてボルト締め方法により組み立てる受け台２を有する受け台付きステンレス鋼製水槽の水槽底板１aに連結手段を介在して受け台２を連結する方法において、前記の受け台２に受け台部材どうし２a、２ｂ連結用のボルト２ｇを利用して追加設置される連結用ステンレス鋼製ピース２ｄと前記の水槽底板１ａとの溶接接合により、受け台２と水槽１を連結することを特徴とする受け台と水槽の連結構造を用いることを要旨とする。
【考案の効果】
【００１４】
本考案は、図３に示す従来方法に比較して、図６に示すように、全構造部材に亜鉛メッキを施す炭素鋼材を使用することができ、コストの大幅低減を実現した。
【考案を実施するための最良の形態】
【００１５】
図６に考案を実施するための最良の実施形態を示す。
【実施例１】
【００１６】
本考案の実施例１は、図６、図７、図８に示す本考案を実施するための最良の実施形態である。
【００１７】
図６に示すように、受け台２の主部材２ａも副部材２ｂも亜鉛メッキを施した炭素鋼材で、お互いに溶接による連結ができないので、図７に示すように亜鉛メッキを施す前に溶接によって主部材２ａに取り付けた連結プレート２ｆを介在し、部材２ａと部材２ｂをボルト２ｇで連結する。
【００１８】
図７に示すように、同ボルト２ｇを利用して、ステンレス鋼製ピース２ｄをその上面と受け台の上面に一致するように受け台２に固定する。
【００１９】
ステンレス鋼製水槽１が受け台２に設置する場合、水槽底板１ａの下面と受け台２の上面が一致するので、ステンレス鋼製ピース２ｄの上面も底板１ａの下面に一致することになる。
【００２０】
図８に示すように、ステンレス鋼製底板１ａとステンレス鋼製ピース２ｄを隅肉溶接２cにより連結する。つまり、ステンレス鋼製水槽１と全構造部材に亜鉛メッキを施す炭素鋼材を使用する受け台２の連結を実現する。
【００２１】
これによって、底板１ａは、底板間の複数の溶接線２ｃの溶接施工を行う場合、底板１ａに生じる歪みによる受け台からの浮き上がり問題をクリアできるようになっている。
【実施例２】
【００２２】
本考案の実施例２は、図９に示す。
【００２３】
以下では、実施例１と異なる部分のみについて説明する。
【００２４】
実施例１では、ステンレス鋼製ピース２ｄを受け台２に取り付ける場合、構造部材同士の連結に用いるボルトを利用する。この場合、ボルトの位置が決まっているし、その数量も限られている。
【００２５】
しかし、底板１ａが一層薄い場合、または溶接入熱量がもっと大きい場合、底板の歪みが大きくなり、実施例１だけのステンレスピース２ｄを用いて底板全体の浮き上がりを抑えきれない場合がある。
【００２６】
実施例２では、図９に示すように、構造部材２ｂの中央にボルト設置用孔を開けてステンレス鋼製ピース２ｄを取り付けることが出来るようになっている。
【００２７】
これによって、設置可能のステンレス鋼製ピース２ｄは、数が多くなり、底板１ａの溶接１ｂにより生じる浮き上がりに対してより効果的に抑えることが期待できる。
【図面の簡単な説明】
【００２８】
【図１】受け台付きステンレス鋼製水槽の設置状況（正面図）
【図２】ステンレス鋼製水槽の構成（内部補強材を省略、立体図）
【図３】従来の受け台付きステンレス鋼製水槽の受け台の構成（平面図）
【図４】従来の受け台付きステンレス鋼製水槽の受け台の構成詳細（図３の局部拡大、立体図）
【図５】従来の受け台付きステンレス鋼製水槽の受け台の構成詳細（図３のA-A断面の局部拡大）
【図６】本考案の受け台付きステンレス鋼製水槽の受け台の構成（実施例１、平面図）
【図７】本考案の受け台付きステンレス鋼製水槽の受け台の構成詳細（図６の局部拡大、立体図）
【図８】本考案の受け台付きステンレス鋼製水槽の受け台の構成詳細（図６のB-B断面の局部拡大）
【図９】本考案の受け台付きステンレス鋼製水槽の受け台の構成（実施例２、平面図）
【符号の説明】
【００２９】
１       ステンレス鋼製水槽
１ａ     ステンレス鋼製水槽の底板
１ｂ     ステンレス鋼製水槽底板同士の溶接線
１ｃ     ステンレス鋼製水槽の側板
１ｄ     ステンレス鋼製水槽の天井板
２       受け台
２ａ     受け台の主部材（溝鋼、亜鉛メッキを施す炭素鋼材）
２ｂ     受け台の副部材（溝鋼、亜鉛メッキを施す炭素鋼材）
２ｂ’     受け台の副部材（溝鋼、ステンレス鋼製鋼材）
２ｃ     副部材２ｂ‘と底板１ａの溶接線
２ｄ     底板１ａと受け台２の連結用ステンレス鋼製ピース
（アングル材、ステンレス鋼製材）
２ｅ     底板１ａと受け台２の連結用ステンレス鋼製ピース２ｄの溶接線
２ｆ     受け台の主部材２ａと副部材２ｂ、２ｂ‘の連結のための部材
（平板材、亜鉛めっきを施す炭素鋼材）
２ｇ     受け台２の主部材２ａと副部材２ｂ、２ｂ‘の連結用ボルト
３       受け台付きステンレス鋼製水槽１、２の基礎（ゲタ基礎）
【図１】
0003149214.tif 000003
【図２】
0003149214.tif 000004
【図３】
0003149214.tif 000005
【図４】
0003149214.tif 000006
【図５】
0003149214.tif 000007
【図６】
0003149214.tif 000008
【図７】
0003149214.tif 000009
【図８】
0003149214.tif 000010
【図９】
0003149214.tif 000011
【手続補正書】
【提出日】平成21年1月9日(2009.1.9)
【手続補正１】
【補正対象書類名】実用新案登録請求の範囲
【補正対象項目名】全文
【補正方法】変更
【補正の内容】
【実用新案登録請求の範囲】
【請求項１】
亜鉛めっきを施す炭素鋼材を用いてボルト締め方法により組み立てる受け台を有する受け台付きステンレス鋼製水槽の水槽底板に連結手段を介在して受け台を連結する構造において、前記の受け台に受け台部材どうし連結用のボルトを利用して追加設置される連結用ステンレス鋼製ピースと前記の水槽底板との溶接接合により、受け台と水槽を連結する、受け台と水槽の連結構造。
【手続補正２】
【補正対象書類名】明細書
【補正対象項目名】００１３
【補正方法】変更
【補正の内容】
【００１３】
上記問題を解決するため、請求項１に記載の考案は、図６、図７、図８に示すように、亜鉛めっきを施す炭素鋼材２a、２ｂを用いてボルト締め方法により組み立てる受け台２を有する受け台付きステンレス鋼製水槽の水槽底板１aに連結手段を介在して受け台２を連結する構造において、前記の受け台２に受け台部材どうし２a、２ｂ連結用のボルト２ｇを利用して追加設置される連結用ステンレス鋼製ピース２ｄと前記の水槽底板１ａとの溶接接合により受け台２と水槽１を連結する、受け台と水槽の連結構造を用いる。